(57)【要約】【課題】印刷装置が認識できるデータ形式を必要に応じて切り換えることができ、例えば通常使用時には特定データ形式のデータを秘匿できる印刷装置を提供する。【解決手段】操作スイッチが通常操作ではあり得ない特定操作されると（S10）、通常モードからデモ印刷モードに移行し、この特定操作がなされる前までは、認識できなかったＰＲＮファイルが認識できるようになり、メモリカードに特定ファイル（ＰＲＮファイル）が存在するか否かを判断する（S20）。特定ファイルが存在すると、特定ファイルを読み込んで、取得したＰＲＮデータに基づき印刷処理を行う。印刷処理が終わると通常モードへ復帰する（S40）。【選択図】図３
2007175937.tif 000002
【特許請求の範囲】
【請求項１】
外部記憶媒体からデータを読み込んで印刷を行う印刷装置であって、
操作部と、
前記操作部が所定操作方法で操作されるまでは、前記外部記憶媒体に記憶されたデータのうち所定データ形式に属する第１のデータは認識するが前記所定データ形式以外の特定データ形式に属する第２のデータは認識せず、前記操作部が前記所定操作方法で操作されると、前記第２のデータを認識して、前記第１のデータを選択することなく第２のデータを読み込む読込手段と、
前記読込手段により読み込まれた前記データを印刷処理する印刷手段と
を備えたことを特徴とする印刷装置。
【請求項２】
請求項１に記載の印刷装置において、
前記読込手段は、前記操作部が前記所定操作方法で操作されたことで読み込んだデータの印刷処理が終了すると、前記第１のデータを認識するが前記第２のデータを認識しない前記所定操作方法の操作がなされる前の状態に復帰することを特徴とする印刷装置。
【請求項３】
請求項１に記載の印刷装置において、
前記所定操作方法で操作された後、前記操作部で終了操作がなされると、前記所定操作方法で操作される前の第１のデータは認識するが第２のデータは認識できない状態に復帰することを特徴とする印刷装置。
【請求項４】
請求項３に記載の印刷装置において、
前記操作部が前記所定操作方法で操作された後と前とで印刷を開始させる操作方法が同じであることを特徴とする印刷装置。
【請求項５】
請求項１乃至４のいずれか一項に記載の印刷装置において、
前記第２のデータは、ＣＭＹＫ形式に色変換済みのデータであることを特徴とする印刷装置。
【請求項６】
請求項１乃至５のいずれか一項に記載の印刷装置において、
前記第１のデータは、ＣＭＹＫ形式に色変換される前のデータであることを特徴とする印刷装置。
【請求項７】
請求項１乃至６のいずれか一項に記載の印刷装置において、
前記所定データ形式は、少なくともＪＰＥＧ形式を含むことを特徴とする印刷装置。
【請求項８】
請求項１乃至７のいずれか一項に記載の印刷装置において、
前記読込手段は、前記操作部が前記所定操作方法で操作された場合、前記外部記憶媒体に前記第２のデータが存在するか否かを判断し、第２のデータが存在しなれば、第１のデータを認識するが前記第２のデータを認識しない前記所定操作方法での操作がなされる前の状態に復帰することを特徴とする印刷装置。
【発明の詳細な説明】
【技術分野】
【０００１】
本発明は、メモリカード等の外部記憶媒体からデータを読み込んで印刷できる印刷装置に関する。
【背景技術】
【０００２】
従来、プリンタを店頭で販売する場合、印刷品質や印刷速度などの性能を顧客に見てもらうためにデモ印刷が行われる場合がある。例えば特許文献１には、プリンタとは別にパーソナルコンピュータ等の上位装置を用意し、上位装置から印刷データをプリンタに送ることによりデモ印刷を行う技術が開示されている。また、特許文献１には、販売店の店頭での使用のみのためにプリンタの外部インターフェイス部に接続されるデモボックスと呼ばれる印刷サンプルを取るためだけの装置が従来技術として開示されているが、非常に高価であり、ほとんど普及していない。
【０００３】
近年、メモリカード等の外部記憶媒体やデジタルカメラ等に装着された記憶媒体に記憶された画像データを、ホスト装置（パーソナルコンピュータ）を介さずに、直接プリンタに取り込み、プリンタ内部で画像データを印刷データに変換して印刷（ダイレクト印刷）を行うことができる、いわゆるスタンドアロン型のプリンタが実用化されている。この種のプリンタは、本体に設けられたメモリカードスロットに挿着されたメモリカードから読み取った画像データに画像処理を施すための画像処理機能を備えており、メモリカード等から取得した画像データに画像処理を施してプリンタ内部で印刷データを生成して印刷を行うことができる（例えば特許文献２）。
【０００４】
このようなメモリカードスロットを備えたプリンタであれば、画像データを保存したメモリカードをメモリカードスロットに差し込むだけで、パーソナルコンピュータ等の上位装置を用意しなくても、プリンタ１台で、メモリカードから画像データを読み込んでデモ印刷を行うことができる。
【０００５】
また、特許文献１には、操作パネルからテスト印刷開始要求を受信すると、拡張記憶手段（ＲＯＭ）に格納されているテスト印刷データを読み出し、印刷制御部を介して印刷するプリンタ装置が開示されている。操作者は操作パネルからテスト印刷モードを指示するとともに、複数の印刷データの中から一つを操作パネルから選択できるようになっていた。このプリンタ装置によれば、上位装置に接続されていなくても、販売店の店頭のように来店客の前で印刷性能等をデモンストレーションできた。
【０００６】
また、特許文献２には、ホスト装置から受信した印刷データをメモリカード等の所定記憶領域に保存でき、再度印刷するときにはメモリカードから印刷データを読み込んで、色変換処理等の画像処理をすることなく高速印刷できる機能を備えたプリンタが開示されている。この機能を用いれば、プリンタ１台でしかも高速印刷でデモ印刷を行うことができる。なお、特許文献３には、秘密文書又は親展文書の印刷要求があった場合は、受信者が印刷装置にＩＤやパスワードを入力し、ユーザ確認部で受信者が確認されると、データを展開して印刷を行う印刷装置が開示されている。
【特許文献１】特開平９−２４６６２号公報（明細書段落［００１２］、［００１３］、［００１８］、［００２４］〜［００５０］、第１図〜第３図）
【特許文献２】特開２００５−１１１８４５号公報（明細書段落［００３８］〜[００４０]、第３図）
【特許文献３】特開平１１−２８８５０号公報
【発明の開示】
【発明が解決しようとする課題】
【０００７】
ところで、ホスト装置なしで印刷できるダイレクト印刷機能を備えたスタンドアロン型のプリンタでは、メモリカードから読み込んだ画像データ（例えばＪＰＥＧデータ等）を、印刷データに変換する画像処理が必要となる。このため、ホスト装置から印刷データ（ＰＲＮデータ）を受信して印刷する場合に比べ、色変換処理等の画像処理に要する時間が余分にかかるため、ホスト装置と接続されて使用されるときと同程度の印刷速度でデモ印刷を行うことができないという問題があった。このため、ホスト装置と接続して印刷するときも、この程度の印刷速度であると顧客が誤って認識し、正当な性能を理解してもらえないという問題があった。
【０００８】
また、特許文献２に記載のプリンタでは、ホスト装置から受信した印刷データをメモリカードに保存できるので、その保存した印刷データをメモリカードから読み込んで印刷を行えば、ホスト装置と接続したときと同程度の印刷速度でデモ印刷を行うことができる。しかしながら、この機能が付いたプリンタでしか印刷データに基づくダイレクト印刷はできなかったので、この機能を有しないプリンタを含む全ての機種において高速デモ印刷が行える訳ではなかった。例えば高速デモ印刷を目的として上記機能を販売員などが操作することを前提にプリンタに追加することは可能であり、このような機能を仮に追加しても、ユーザがプリンタ購入後の使用に際してはメモリカードに印刷データを格納することはまずないので、ユーザの実使用上さほど問題はない。しかし、例えば顧客が販売店に展示されているプリンタを操作した場合に、プリンタに挿着されたデモ用のメモリカードから本来扱えないはずのデータ形式である印刷データ（ファイル）が画面に表示されたり印刷できたりするのは、その機能がプリンタに備わっていると誤解される虞もあるので適切ではない。よって、販売員がデモ印刷を行わないときに仮にデモ用のメモリカードが挿着された状態で顧客がプリンタを操作したとしても、本来扱うことのできないデータ形式に属する印刷データのようなデータは見えないように秘匿されることが望ましい。これを実現するためには、必要に応じて認識できるデータ形式を切り換えることが可能なプリンタが要望される。
【０００９】
なお、特許文献１及び特許文献２のプリンタは、拡張記憶手段やメモリカードなどの外部記憶媒体からデータを読み取って印刷可能ではあるが、認識できるデータ形式を切り換え可能な構成ではなかった。また、特許文献３に記載の印刷装置は、パスワード等を知る者が印刷を許可する構成であり、秘密文書又は親展文書を他人に読まれないようにデータの内容を秘匿する機能を備えてはいたが、特定データ形式のデータを扱えなくする秘匿機能ではなかった。
【００１０】
本発明は、上記問題点を解決するためになされたものであって、その目的は、印刷装置が認識できるデータ形式を必要に応じて切り換えることができ、例えば通常使用時には特定データ形式のデータを秘匿できる印刷装置を提供することにある。
【課題を解決するための手段】
【００１１】
上記目的を達成するため、本発明は、外部記憶媒体からデータを読み込んで印刷処理を行う印刷装置であって、操作部と、前記操作部が所定操作方法で操作されるまでは、前記外部記憶媒体に記憶されたデータのうち所定データ形式に属する第１のデータを認識するが前記所定データ形式以外の特定データ形式に属する第２のデータは認識せず、前記操作部が前記所定操作方法で操作されると、前記第２のデータを認識して、前記第１のデータを選択することなく第２のデータを読み込む読込手段と、前記読込手段により読み込まれた前記データを印刷処理する印刷手段とを備えたことを要旨とする。
【００１２】
ここで、「所定データ形式」と「特定データ形式」は、排他的な関係にあるデータ形式であり、それぞれ１つのデータ形式からなるものでもよいし、複数のデータ形式からなるものでもよい。また、認識できるかどうかを対象とする場合、「第１のデータ」は、外部記憶媒体に記憶されたデータのうち所定データ形式に属するすべてのデータを指し、「第２のデータ」は、外部記憶媒体に記憶されたデータのうち特定データ形式に属するすべてのデータを指す。また、読み込む対象となる「第１又は第２のデータ」は、認識できる一つ又は複数の第１又は第２のデータの全てでも、選択されたものでもよい。
【００１３】
これによれば、操作部が所定操作方法で操作されるまでは、外部記憶媒体に記憶されたデータのうち所定データ形式に属する第１のデータのみを認識する。例えば認識できる第１のデータのうち少なくとも一つが操作部で選択されると、該選択された第１のデータを読み込んで、第１のデータを印刷処理することで印刷が行われる。一方、操作部が所定操作方法で操作されると、外部記憶媒体に記憶されたデータのうち所定データ形式以外の特定データ形式に属する第２のデータを認識するようになり、第１のデータを選択することなく、第２のデータのうち少なくとも一つを読込手段が読み込んで、印刷手段が第２のデータを印刷処理することで印刷が行われる。このように本発明では、印刷装置が認識できるデータ形式を必要に応じて切り換えることができ、例えば通常使用時には特定データ形式のデータを秘匿できる。第２のデータとして例えば印刷データに用いられる特定データ形式のデータ（ＰＲＮデータ）を採用すれば、ホスト装置と接続されたときと同程度の印刷速度で印刷をすることができ、例えばデモ印刷する場合に好適である。
【００１４】
また、本発明の印刷装置では、前記読込手段は、前記操作部が前記所定操作方法で操作されたことで読み込んだデータの印刷処理が終了すると、前記第１のデータを認識するが前記第２のデータを認識しない前記所定操作方法の操作がなされる前の状態に復帰することが好ましい。
【００１５】
これによれば、読込手段は、操作部が所定操作方法で操作されたことで読み込んだデータの印刷処理が終了すると、第１のデータは認識するが第２のデータを認識しない所定操作方法での操作がなされる前の状態に復帰する。例えばデモ印刷が終われば、通常状態に復帰するので、復帰操作を別途行う必要がないうえ、顧客に印刷装置の通常機能を確認してもらうことができる。
【００１６】
また、本発明の印刷装置では、前記所定操作方法で操作された後、前記操作部で終了操作がなされると、前記所定操作方法で操作される前の第１のデータは認識するが第２のデータは認識できない状態に復帰することを要旨とする。
【００１７】
これによれば、操作部が所定操作方法で操作された後、終了操作が行われると、所定操作方法で操作される前の状態、すなわち第１のデータは認識できるが第２のデータは認識できない状態に復帰する。このため、終了操作を行うまで、第２のデータに基づく印刷を繰り返し実行できる。例えばデモ印刷を行うときは、販売員が所定操作方法で操作して第２のデータを認識できるようにし、顧客には操作部を操作して第２のデータを選択してもらうことによりデモ印刷ができ、デモが終われば販売員が終了操作をして通常の状態に復帰させるので、所定操作方法を顧客に知られずに済む。
【００１８】
また、本発明の印刷装置では、前記操作部が前記所定操作方法で操作された後と前とで印刷を開始させる操作方法が同じであることが好ましい。
これによれば、操作部が所定操作方法で操作されて第２のデータを認識できるようになった後、所定操作方法で操作される前と同じ操作方法で印刷開始の操作をすれば、印刷を開始できる。よって、通常操作でデモ印刷ができ、しかも通常操作なので第２のデータによる印刷とは分からずデモ印刷できる。
【００１９】
また、本発明の印刷装置では、前記第２のデータは、ＣＭＹＫ形式に色変換済みのデータであることが好ましい。これによれば、印刷装置における色変換処理が不要となる。このため、外部記憶媒体から読み取ったデータを色変換処理する場合の印刷速度に比べ高速印刷を達成でき、ホスト装置と接続されたときの印刷速度に少しでも近づけた印刷速度で印刷をすることができる。
【００２０】
また、本発明の印刷装置では、前記第１のデータは、ＣＭＹＫ形式に色変換される前のデータであってもよい。
これによれば、操作部が所定操作方法で操作されるまでは、ＣＭＹＫ形式に色変換される前のデータを選択して印刷できるとともに、操作部を所定操作方法で操作した場合は、ホスト装置から印刷データを受信して印刷する場合と同程度の比較的高速な印刷速度で印刷を行うことができる。
【００２１】
また、本発明の印刷装置では、前記所定データ形式は、少なくともＪＰＥＧ形式を含むことが好ましい。
これによれば、操作部が所定操作方法で操作されるまでは、ＪＰＥＧ形式に属する第１のデータ（ＪＰＥＧデータ）を選択して印刷できるとともに、操作部を所定操作方法で操作した場合は、ホスト装置から受信して印刷する場合と同程度の比較的高速な印刷速度で印刷を行うことができる。例えばＪＰＥＧデータで印刷処理した場合に比べ、高速な印刷速度でデモ印刷できる。
【００２２】
また、本発明の印刷装置では、前記読込手段は、前記操作部が前記所定操作方法で操作された場合、前記外部記憶媒体に前記第２のデータが存在するか否かを判断し、第２のデータが存在しなれば、第１のデータを認識するが前記第２のデータを認識しない前記所定操作方法での操作がなされる前の状態に復帰することが好ましい。
【００２３】
これによれば、外部記憶媒体が接続された状態で操作部を所定操作方法で操作すれば、第２のデータが存在するか否かを判断し、第２のデータが存在しなれば、所定操作方法での操作がなされる前の状態に復帰する。例えばデモ印刷以外の通常使用時において、たまたま所定操作方法と同じ操作方法で操作してしまったとしても、外部記憶媒体に第２のデータが存在しないことから、印刷装置は通常状態と何ら変わらず、デモ印刷機能が組み込まれていても何ら通常使用時に影響を与えない。つまり、ユーザからその機能及び特定データ形式のデータを見えなくすることができる。
【発明を実施するための最良の形態】
【００２４】
（第１実施形態）
以下、本発明を具体化した第１実施形態を図１〜図４に従って説明する。図１は、本実施形態に係るプリンタの外観を示す斜視図である。
【００２５】
本実施形態における印刷装置としてのプリンタ１０は、ホスト装置としてのパーソナルコンピュータ（以下「ＰＣ」という）と接続することなく、メモリカード等の外部記憶媒体や外部記憶装置に挿入された外部記憶媒体（例えばＭＯ等）、或いはデジタルカメラ等から画像データを直接読み込んで印刷できる、いわゆるスタンドアロン型プリンタの機能を備えている。つまり、本実施形態のプリンタ１０は、ホスト装置と接続して該ホスト装置の周辺機器として使用されるときには、そのホスト装置から受け取った印刷データを基に印刷を行う。一方、スタンドアロン型プリンタとして動作するときには、上記メモリカード等から直接読み込んだ画像データに所定の画像処理を施して生成した印刷データを基に印刷を行うようになっている。
【００２６】
このプリンタ１０は、本体１１の上面右側にユーザインタフェース（ＵＩ）として機能するコントロールパネル１２を備えたインクジェット式プリンタである。ユーザは、このコントロールパネル１２を操作することで、印刷指示等の各種の指示をプリンタ１０に与えることができる。本体１１の背面側には用紙供給装置１３が設けられており、シートフィーダ１４にセットされた単票紙、あるいはロール紙支持部１５にセットされたロール紙が本体１１内部に給紙される（以下、本実施形態においては、単票紙、ロール紙等の印刷媒体を単に「用紙」という）。本体１１の上面中央に設けられたカバー１６の下方には印刷機構が設けられており、この印刷機構の作動により印刷された用紙１７が本体１１の前側下部に設けられた排紙口１８から排出される。詳しくはカバー１６の下側には印刷機構を構成するキャリッジ２０が主走査方向Ｘに往復移動可能に設けられ、キャリッジ２０の下部にはインク滴を吐出可能な記録ヘッド２１が搭載されている。そして、記録ヘッド２１からインク滴を吐出させながら主走査方向Ｘに移動するキャリッジ２０の１走査と、図示しない搬送ローラに搬送されて副走査方向Ｙに所定量だけ送られる用紙１７の紙送り動作とが、交互に行われることで印刷は行われる。
【００２７】
コントロールパネル１２には、表示手段としての液晶表示装置（以下「ＬＣＤ２３」という）と、操作部２４（操作パネル）とが備えられている。ＬＣＤ２３の表示画面２３ａは、例えば、用紙サイズ、用紙種類、レイアウト、写真選択、印刷枚数などを設定するための画面、及び各種のメッセージ画面（メニュー画面）を表示する。操作部２４は、電源スイッチ２４ａ、メンテナンススイッチ２４ｂ、ロール紙スイッチ２４ｃ、印刷実行スイッチ２４ｄ、中止スイッチ２４ｅ、選択スイッチ２４ｆおよび決定スイッチ２４ｇなどの複数の操作スイッチから構成されている。メンテナンススイッチ２４ｂは記録ヘッド２１をクリーニングする際に操作され、ロール紙スイッチ２４ｃはロール紙を使用する際に操作される。また、印刷実行スイッチ２４ｄは印刷を開始する際に操作され、中止スイッチ２４ｅは印刷中においては印刷を中止する中止ボタンとして機能し、非印刷時においてはメニュー操作上のキャンセルボタンとして機能する。ＬＣＤ２３の表示画面２３ａで印刷条件等を選択する際には選択スイッチ２４ｆが用いられ、そのうち上ボタンと下ボタンを適宜操作することで、カーソルを上下移動させたり、数値を増減させて所望の値を選択したりする。選択された項目や数値は決定スイッチ２４ｇを操作することで確定される。このようにプリンタ１０に設けられた各スイッチが操作されたときの機能は、通常操作を行ううえにおいてほぼ一義的に決まっている。
【００２８】
プリンタ１０の本体１１の正面右側下部には、外部記憶媒体としてのメモリカード２６を挿着可能とするスロット２７が設けられている。なお、同図では１つのみスロットを図示しているが、実際には複数種のメモリカードに対応できるように複数のスロットが設けられている。但し、メモリカードを専用アダプタに取り付けて挿着すれば対応できる共用スロットとなっており、２つ程度のスロットで５種以上のメモリカードに対応できるように構成されている。プリンタ１０が対応可能なメモリカード２６としては、例えばコンパクトフラッシュ（Ｒ）、スマートメディア（Ｒ）、メモリースティック（Ｒ）、ＳＤメモリカード、ＭＭＣなどが挙げられる。また、本体１１に図示しない近距離無線通信器（Bluetooth（Ｒ）アダプタ）を装備することで、Bluetooth（Ｒ）対応機器（例えばBluetooth（Ｒ）搭載のデジタルカメラやＰＣ）から無線を利用した印刷も行なえるようになっている。
【００２９】
このスタンドアロン型プリンタでは、例えばメモリカードに記憶された画像を選択して印刷する場合、ホスト装置と接続されないので、ホストコンピュータの画面上で画像を確認することができない。このため、プリンタ１０の本体１１の上部には、それらメモリカード２６等の記憶媒体から読み込んだ画像を表示するための表示装置２８が装備されており、プリンタ１０をホスト装置と接続しなくても、印刷前に画像確認が行えるようになっている。
【００３０】
プリンタ１０の本体１１には図示しないＵＳＢポートなどの入力ポートが設けられており、プリンタ１０とホストコンピュータ（ＰＣ）とを通信ケーブルを介して接続することにより、プリンタ１０はホストコンピュータの周辺機器として動作し、ホストコンピュータより送信される印刷データに基づいて印刷を行う。
【００３１】
図３は、プリンタ１０の構成を示すブロック図である。なお、図１と同様な構成部分については、同一符号を付して説明する。
プリンタ１０は、ＣＰＵ組込みＡＳＩＣ３１（Application Specific Integrated Circuit）（特定用途向け集積回路）、ＲＯＭ３２、ＲＡＭ３３、カードリーダ３４、キャリッジモータ３５、紙送りモータ３６及び記録ヘッド２１を備えている。ＲＯＭ３２には、後述するＣＰＵ組込みＡＳＩＣ３１のＣＰＵ４１が処理を実行する上で必要な制御プログラムや各種のアプリケーションプログラムが格納される。ＲＡＭ３３は、ＣＰＵ４１が処理を実行する際のワーキングメモリとして利用される。また、本実施形態において、ＲＡＭ３３は、ホストコンピュータ５０より送信される印刷データを一時保存するための内部メモリとしても利用される。
【００３２】
記録ヘッド２１は、用紙１７の搬送路に対向した面（ノズル形成面）に各色用のノズルを多数個有している。この記録ヘッド２１は、後述するＣＰＵ組込みＡＳＩＣ３１のヘッド制御回路４７の制御に基づいて、主走査方向に往復移動しながら、各色のインク滴をそれぞれの色に対応したノズルから吐出することで、所定の用紙に画像を形成する。
【００３３】
ＣＰＵ組込みＡＳＩＣ３１は、ＣＰＵ４１、ホストインタフェース回路（以下「ホストＩ／Ｆ」という）４２、カードインタフェース回路（以下「カードＩ／Ｆ」という）４３、コマンド解析回路４４、画像処理回路４５、モータ制御回路４６及びヘッド制御回路４７を備えており、それらは内部バス４８を介して相互に接続されている。この内部バス４８には、上述したＲＯＭ３２、ＲＡＭ３３及びコントロールパネル１２も接続されている。
【００３４】
ＣＰＵ４１は、ＲＯＭ３１に格納されているプログラムを読み出し、そのプログラムに従った処理を実行することにより、プリンタ１０を統括的に制御する。例えば、ＣＰＵ４１は、後述する画像処理回路４５での色変換処理、ハーフトーン処理及びマイクロウィーブ処理、モータ制御回路４６でのキャリッジモータ３５および紙送りモータ３６の駆動制御、およびヘッド制御回路４７での記録ヘッド２１の駆動制御を司る。また、ＣＰＵ４１は、ホストＩ／Ｆ４２を介してホストコンピュータ５０から印刷データを受信可能であり、この印刷データを基に印刷処理を行う。
【００３５】
ホストコンピュータ５０から受信する受信データに含まれるジョブ開始コードとジョブ終了コードに基づいて、印刷制御コマンドで記述された印刷データを印刷ジョブ単位で取得する。また、コマンド解析回路４４は、ホストコンピュータ５０より受信した印刷制御コマンドを解析してＣＭＹＫ系のラスタデータへの展開処理を行う。
【００３６】
画像処理回路４５は、色変換部、ハーフトーニング部及びマイクロウィーブ部としての機能を有している。詳述すると、色変換部は、ＲＧＢの多階調の画像データに色変換処理を施し、例えば、シアン（Ｃ）、マゼンタ（Ｍ）、イエロー（Ｙ）、ブラック（Ｋ）、ライトシアン（ＬＣ）、ライトマゼンタ（ＬＭ）、ライトイエロー（ＬＹ）の７色の多階調の画像データを生成する。ハーフトーニング部は、その色変換処理後の画像データにハーフトーン処理を施し、多階調の画像データを各色毎に２値化して表した印刷イメージデータ（色プレーン）を生成する。マイクロウィーブ部は、そのハーフトーン処理後の各色プレーンのラスタラインをノズル数、ヘッド走査回数、紙送り量等に基づき並び替えて印刷データを生成する。ヘッド制御回路４７は、画像処理回路４５で生成された各色の印刷データに基づいてインク滴の吐出の有無や、吐出するインク滴の量等を制御する。
【００３７】
メモリカード２６には、ＪＰＥＧ（Joint Photographic Experts Group）形式、ＢＭＰ（ビットマップ）、ＤＰＯＦ、ＰＩＦ、ＴＩＦＦ形式の各種画像データが記憶できるようになっている。これら各種形式の画像データを印刷データに変換する場合は、ＲＧＢ系データ形式に一旦変換する処理を行うようにしており、画像処理回路４５は、その他に、圧縮系データを非圧縮系データに変換する解凍処理および非ＲＧＢ系からＲＧＢ系のデータ形式にデータを変換するＲＧＢ変換処理を行う変換処理部としても機能する。
【００３８】
例えば圧縮系画像データであるＪＰＥＧ形式の画像データをラスタ処理する場合、まずこれをＹＣｂＣｒ表色系（輝度（Y）と青の色差（Cb）と赤の色差（Cr）を使って表現する表色系）の非圧縮系画像データに解凍する。そして、解凍して得られたＹＣｂＣｒ表色系の多値画像データをさらにＲＧＢ表色系の多値画像データに変換する。そして、このＲＧＢ表色系の多値画像データをＲＡＭ３３に用意されたワークメモリ（イメージバッファ）上に展開する。
【００３９】
画像処理回路４５は、ワークメモリ上に展開された多値画像データを読み込んでＲＧＢ多値画像データをＣＭＹＫ多値画像データに色変換処理、ハーフトーン処理及びマイクロウィーブ処理を施して印刷データ（本実施形態においては１ライン毎にデータ記述されたラスタデータ）を生成する。コマンド変換部５５は、このラスタデータをプリンタ１０が解釈できる記述言語に変換して印刷制御コマンド（本実施形態においてはＥＳＣ／Ｐラスタコマンド）を生成する。
【００４０】
一方、ホストコンピュータ５０は、アプリケーション５１、プリンタドライバ５２及びインターフェイス（以下「Ｉ／Ｆ５３」という）を備えている。プリンタドライバ５２は、印刷データ生成部５４とコマンド変換部５５を有している。印刷データ生成部５４は、アプリケーション５１から受け取った印刷対象の例えば画像データを、圧縮系データであれば解凍処理を施して非圧縮系データに変換し、またＲＧＢ表色系でなければＲＧＢ表色系データに変換後、そのＲＧＢ表色系の画像データに対して色変換処理、ハーフトーン処理及びマイクロウィーブ処理を施して印刷データ（前述同様の１ライン毎にデータ記述されたラスタデータ）を生成する。コマンド変換部５５は、このラスタデータをプリンタ１０が解釈できる記述言語に変換して印刷制御コマンド（本実施形態においてはＥＳＣ／Ｐラスタコマンド）を含むＰＲＮデータを生成する。
【００４１】
このようにプリンタ１０は、ホストコンピュータ５０から受信した受信データ（ＰＲＮデータ）に対してはコマンド解析回路４４でコマンドを解析することで印刷データを取得する。一方、メモリカード２６から読み込んだ画像データに対しては画像処理回路４５で、必要に応じて解凍処理等を行った後、色変換処理、ハーフトーン処理及びマイクロウィーブ処理を施して印刷データを生成する。このようにメモリカード２６から画像データを取得して印刷を行う場合、画像処理回路４５で行われる、圧縮系データで必要になる解凍処理、色変換処理、ハーフトーン処理及びマイクロウィーブ処理など比較的処理時間を要する画像処理が伴うことになるので、印刷開始から印刷終了までに比較的長い印刷処理時間を要する。特に高精細な印刷画質で印刷する場合、画像データのデータ容量が多くなって処理時間を長く要することになり、メモリカード２６から読み込んだ画像データの画像処理が印刷速度（キャリッジ速度）に追いつかず、印刷処理中にキャリッジ２０が間欠的に停止するなどして印刷処理時間が長くなる。デモ印刷を行う場合、ホストコンピュータ５０から受信した印刷データ（ＰＲＮデータ）を基に印刷をするときの性能（印刷処理時間等）を顧客に見せたいが、メモリカード２６から画像データを読み込んで印刷する方法であると、前記性能よりも劣る印刷処理時間となってしまう。
【００４２】
本実施形態では、デモ印刷をメモリカード２６に記憶されたデータを使って行う。図２は、メモリカード２６内のディレクトリ構造を示す構造図である。
メモリカード２６内には、ルートディレクトリ６０の下位階層に特定フォルダ６１が用意されている。特定フォルダ６１の下位には特定ファイル６２が保存されている。特定ファイル６２は、ＰＲＮデータを含むＰＲＮファイルである。ＣＰＵ４１は、メモリカード２６内に特定ファイルが存在することを、パスから認識する。例えば、パス名「／ルートディレクトリ／特定フォルダ／特定ファイル」のファイルが存在すれば、そのファイルを特定ファイル６２と認識する。また、メモリカード２６内に同図に示すように、通常ファイル６４を下位にもつ通常フォルダ６３が作成されていてもよいが、本実施形態では必ずしも必要ではない。
【００４３】
ここで、図２における外部記憶媒体としてのメモリカードにおいては、「通常ファイル１〜Ｎ」のＮ個の通常ファイル６４が第１のデータに相当し、特定ファイル６２が第２のデータに相当する。そして、本実施形態では、印刷の対象となるファイルは１つずつ読み込まれることが前提なので、読込手段により読み込まれる第１のデータは、「通常ファイル１〜Ｎ」のＮ個のうちの１個の通常ファイル６４であり、読込手段により読み込まれる第２のデータは、特定ファイル６２となる。
【００４４】
特定ファイル６２として使用するＰＲＮファイルは、ホストコンピュータ５０を用いて作成する。ホストコンピュータ５０上でデモ印刷に使用する画像ファイルを選択して、ＯＳ（オペレーティングシステム）のファイルシステム機能を使って、プリンタドライバ５２に画像ファイルのＰＲＮファイルを作成させる。このとき、ホストコンピュータ５０に外部記憶装置として、予め特定フォルダ６１を作成しておいたメモリカード２６を接続する。そして、作成されたＰＲＮファイルの書き込み先に、メモリカード２６の特定フォルダ６１を指定してここに書き込む。このとき保存されるＰＲＮファイルにプリンタ１０のＣＰＵ４１が特定ファイルであると認識できるファイル名を付けることで、デモ印刷用のメモリカード２６が作成される。
【００４５】
また、ＣＰＵ４１は、操作部２４によって通常操作方法とは異なる所定操作方法で特別な操作（特定操作）が行われると、通常モードからデモ印刷モードに移行する。デモ印刷モードになると、メモリカード２６の特定ファイルからファイルを読み取って印刷を開始するようになっている。このようなデモ印刷モードに移行してデモ印刷を行うためのデモ印刷処理プログラムがＲＯＭ３２には記憶されている。
【００４６】
所定操作方法による特定操作とは、複数（例えば２つ）のスイッチを同時に押したり、予め決められた所定の順番でスイッチが押されたり、通常操作ではありえない一定時間以上押し続けられたり、所定のスイッチが通常操作ではあり得ない所定時間間隔で連打されたり、さらにこれらのうちから選択される２以上の操作方法の組合せなどが挙げられる。この所定操作方法による特定操作は、通常操作では押される確率が極めて低い操作方法によるもので、一種のパスワードとして機能する。これらの所定操作方法のうち予め設定されたいずれか一つの所定操作方法で操作スイッチが操作された場合に、通常モードからデモ印刷モードに移行するようにプログラムされている。
【００４７】
例えばＲＯＭ３２には、通常モードで読み取りが許可されるデータ形式（所定データ形式）「ＪＰＥＧ」「ＢＭＰ」「ＴＩＦＦ」「ＤＰＯＦ」「ＰＩＦ」が記述された通常データテーブルと、デモ印刷モードで読み取りが許可されるデータ形式（特定データ形式）「ＰＲＮ」が記述されたデモデータテーブルが記憶されている。ＣＰＵ４１は、通常モードにあるときは、通常データテーブルに記述されたデータ形式のみ認識でき「ＰＲＮ」は認識できず、デモ印刷モードにあるときは、デモモードテーブルに記述されたデータ形式「ＰＲＮ」のみ認識できるようになる。つまり、本実施形態では、通常モードで認識できるデータ形式「ＪＰＥＧ」「ＢＭＰ」「ＴＩＦＦ」「ＤＰＯＦ」「ＰＩＦ」が所定データ形式となり、通常モードでは認識できないがデモ印刷モードで認識できるデータ形式「ＰＲＮ」が特定データ形式となる。もちろん、デモ印刷モードで認識できるデータ形式は、特定データ形式だけに限られるものではなく、特定データ形式に加え通常モードで認識されうる所定データ形式うち一部又は全てが含まれても構わない。
【００４８】
また、所定操作方法で操作スイッチが操作される特定操作がなされた場合は、予め設定されたパスに特定ファイルが存在するか否かを判断する。そして、特定ファイルが存在すれば、その特定ファイルを読み取って該特定ファイル中のＰＲＮデータを基に印刷を開始する。このＰＲＮデータはメモリカード２６から読み取られるが、プリンタ１０内の処理は、ホストコンピュータ５０から印刷データを受信したときと同じ処理経路で行われるようになっている。
【００４９】
図４は、ＣＰＵ４１が実行するデモ印刷処理プログラムを示すフローチャートである。以下、同図に従ってデモ印刷処理について説明する。なお、以下の説明では、例えば中止スイッチ２４ｅと決定スイッチ２４ｇが同時に押される所定操作方法のスイッチ操作を特定操作とする。
【００５０】
まずステップＳ１０において、操作スイッチが特定操作されたか否かを判断する。本例では予め設定されている中止スイッチ２４ｅと決定スイッチ２４ｇが同時に押されるという特定操作が行われたか否かを判断する。中止スイッチ２４ｅと決定スイッチ２４ｇが同時に押された特定操作を認識すると、ステップＳ２０に進み、特定操作がなされなかった場合は、当該ルーチンを終了する。
【００５１】
ステップＳ２０では、メモリカードに特定ファイルが存在するか否かを判断する。すなわち、予め指定されたパス名（例えば「／ルートディレクトリ／特定フォルダ／特定ファイル」）のファイルが存在するか否かを判断する。特定ファイルが存在すればステップＳ３０に進み、特定ファイルが存在しなければ、当該ルーチンを終了する。
【００５２】
ステップＳ３０では、特定ファイルを読み込んで、取得したＰＲＮデータに基づき印刷処理を行う。この結果、メモリカード２６から読み込んだＰＲＮファイルの中にあるＰＲＮデータ中のＥＳＣ／Ｐラスタコマンドをコマンド解析回路４４により解析してラスタデータを生成し、それをヘッド制御回路４７に転送する。ヘッド制御回路４７は、コマンド解析回路４４より順次転送されるラスタデータに基づいて記録ヘッド２１を制御することでインク吐出が行われる。このとき、キャリッジモータ３５及び紙送りモータ３６はＣＰＵ４１によりコマンドに従って駆動制御される。そして、キャリッジ２０の１走査の途中（略定速区域）で記録ヘッド２１によるインク吐出が実行され、これが用紙等の印刷媒体が所定ピッチずつ紙送りされる紙送りと交互に繰り返されることで、用紙等の印刷媒体に印刷が施される。
【００５３】
ステップＳ４０では、通常モードへ復帰する。すなわち、印刷処理が終了すると、デモ印刷モードから通常モードに復帰する。例えば印刷終了後に通常モードに復帰せず、デモ印刷モードが継続される構成であると、復帰させたいときにどの操作で復帰させるかを覚える必要がある。しかし、印刷終了後に通常モードに復帰する本実施形態によれば、デモ印刷を行うときの操作方法、すなわち特定操作だけを覚えればよい。このため、復帰操作が分からないために通常モードに復帰できなくなる事態を回避できる。
【００５４】
なお、メモリカード２６に替えて、他の外部記憶媒体を使用してＰＲＮデータによるデモ印刷を行ってもよい。例えばプリンタ１０に接続された外部記憶装置に挿入されたＭＯディスク等の外部記憶媒体でもよい。
【００５５】
プリンタ１０がホストコンピュータに接続されていなくても、デモ印刷を行う場合に、プリンタ１０における色変換処理等の一連の画像処理を一切不要とすることができ、ＥＳＣ／Ｐラスタコマンドの解析を行うのみで、ホストコンピュータから受信した印刷データに基づき印刷処理するときと略同じ印刷速度で高速に印刷処理を実行することができる。
【００５６】
以上記述したように、本実施形態によれば、以下の効果を奏する。
（１）通常操作とは異なる所定操作方法で操作スイッチが操作される特定操作がなされると、通常モードからデモ印刷モードに移行する。そして、特定操作がなされる前の通常モードでは、「ＪＰＥＧ」「ＢＭＰ」「ＴＩＦＦ」「ＤＰＯＦ」「ＰＩＦ」のうちいずれかに属するデータ形式のデータ（第１のデータ）のみ認識でき、特定操作がなされた後は、データ形式「ＰＲＮ」のデータ（第２のデータ）を認識できるようになる。デモ印刷モードに移行した後、メモリカード２６内の特定のパスに特定ファイル（ＰＲＮファイル）が存在するか否かを判断し、特定ファイルが存在すれば、メモリカード２６中の特定ファイルを読み込んでデモ印刷を行う。そして、このデモ印刷が終了すれば、通常モードに復帰する。このため、通常扱えるデータ形式と異なるデータ形式のデータでデモ印刷を行うことができ、しかもその機能は特別な操作をしたときのみ使える機能なので、ユーザはその機能の存在を知らずにプリンタを使用できる。
【００５７】
例えば顧客が販売店に展示されているプリンタ１０を所定操作方法以外の通常操作をする限りにおいては、プリンタ１０に挿着されたデモ用のメモリカードから本来扱えないはずのデータ形式である印刷データ（ファイル）が画面に表示されたり印刷されたりすることはない。このように特定操作を知らない顧客が通常操作をする限りにおいて、特定データ形式の印刷データは非表示かつ印刷不可能な状態に秘匿されるため、本来扱えないはずのデータ形式である印刷データを印刷できる機能がプリンタ１０に備わっていると顧客が誤解する虞を回避できる。仮に特定操作を顧客に行ってもらいデモ印刷を行う場合は、販売員が所定操作方法を顧客に教える際に本来の機能ではない旨を説明できるので、顧客の誤解は回避できる。
【００５８】
また、プリンタ購入後の使用時に仮に特定操作（特殊操作）をたまたまユーザが操作してしまっても、メモリカード２６の特定パスに特定ファイルが存在しないので、デモ印刷モードに移行することなく通常モードに保持され、その機能を知られることはまずない。例えば、特定操作をするとデモ印刷モードに移行し、その後、復帰操作をしないとデモ印刷モードから通常モードに復帰できない構成であると、ユーザがたまたま特定操作をしてデモ印刷モードに移行してしまった場合、通常モードで使える操作スイッチが一部を除いて無効になるので、これをプリンタ１０の故障と勘違いしたり、復旧方法が分からず暫くプリンタ１０が使用できなくなったりする不都合を回避できる。
【００５９】
（２）ＰＲＮデータに基づいて印刷処理を行うので、ＥＳＣ／Ｐラスタコマンドの解析処理だけで済み、色変換処理、ハーフトーン処理、マイクロウィーブ処理等の一連の画像処理を一切不要とすることができる。換言すれば、プリンタ１０での処理をコマンド解析のみとすることができる。これにより、プリンタ１０での処理を削減して印刷処理の効率化を図り、印刷時間を短縮することができる。このため、ホストコンピュータ５０を接続して印刷処理させたときと同等の印刷速度で印刷処理できるので、顧客にプリンタ１０の性能を正しく伝えることができる。例えば、メモリカードから読み込んだＪＰＥＧデータを印刷処理してデモ印刷する場合は、解凍処理やＲＧＢへの色変換処理等の処理に時間がかかり過ぎて、印刷速度がホストコンピュータからの受信データに基づく印刷処理に比べかなり遅くなるが、これがプリンタ１０の性能であると顧客に誤解される事態を回避できる。
【００６０】
（３）また、ＰＲＮデータは印刷条件がコマンドとして既に組み込まれているデータなので、操作スイッチで印刷条件を変えようとしても変えることができない。このため、メーカー側あるいは店舗側が予定する最適な印刷条件でデモ印刷を行うことができる。これに対し、メモリカード２６からＪＰＥＧデータを読み込んで印刷する場合は、コントロールパネル１２の操作部２４でレイアウトや用紙種等の設定操作が必要で、簡単な教育しかしていない販売員にこのような設定操作をさせるのはデモ印刷には向かないが、既に印刷条件がコマンドとして組み込まれたＰＲＮデータなので、デモ印刷に好適である。例えば光沢紙に印刷するにも拘わらず、光沢紙や写真印刷の設定が選択されずデモ印刷をしてしまう不都合を解消できる。
【００６１】
（４）デモ印刷モード中はＬＣＤ２３にプリンタ１０の性能等をアピールする広告等がデモ表示されるので、顧客の注意を引くことができるとともに顧客にプリンタ１０の広告をすることができる。
【００６２】
（５）仮にメモリカード２６を紛失・盗難等で無くしても、その入手者がデータの中身を見ようとしても、ＰＲＮデータなので画像をモニタ等で見ることができない。また、ＰＲＮデータなので印刷しようとしても機種が一致しなければ印刷できず、しかも仮に機種が一致しても、特定操作が分からなければ印刷できない。よって、データの内容についても秘匿性の高いプリンタを提供できる。例えば一部の限られた特定の顧客だけにプリンタ１０の性能を、その販売に先行して公開する場合などにおいて、プリンタ１０の性能等に関する記述や図解などの情報の機密性を担保できたり、デモ印刷に適した見栄えのよい印刷条件に関する情報が漏洩したりすることを防止できる。
【００６３】
（６）特許文献２に記載された従来のプリンタが備えていた、ホストコンピュータから受信した印刷データをメモリカードに書き込んで印刷できる機能を有していない機種を含め、スタンドアロン型のプリンタの全機種において、高速デモ印刷を実現することができる。
【００６４】
（第２実施形態）
次に、第２実施形態について図５に基づいて説明する。なお、前記第１実施形態と共通の構成については説明を省略し、特に異なる構成についてのみ説明する。本実施形態では、デモ印刷のためにＣＰＵ４１が実行する図５に示すデモ印刷処理ルーチンが、前記第１実施形態と異なる。前記第１実施形態では、１つのファイルを実行して印刷が終了すると、通常モードに復帰する構成であったが、本実施形態では、特定操作によってデモ印刷モードに移行すると、デモ印刷する特定ファイルを選択できる特定ファイル選択画面がＬＣＤ２３に表示され、デモ印刷用に用意されたファイルのすべてのデモ印刷が終了するか、デモ印刷モードを終了するための特別な終了操作がなされたときに通常モードに復帰する構成となっている。以下、本実施形態のデモ印刷処理ルーチンについて図５に従って説明する。なお、本実施形態では、デモ印刷モード中は、デモ印刷を行ううえでスイッチ操作の必要がある印刷実行スイッチ２４ｄと選択スイッチ２４ｆと電源遮断に必要な電源スイッチ２４ａ以外のスイッチは操作されても受け付けないようにプログラムで制限されている。
【００６５】
まずステップＳ１１０において、操作スイッチが特定操作されたか否かを判断する。特定操作がなされた場合は、ステップＳ２０に進み、特定操作がなされなかった場合は、当該ルーチンを終了する。
【００６６】
ステップＳ１２０では、メモリカードに特定ファイルが存在するか否かを判断する。すなわち、予め指定されたパス名（例えば「／ルートディレクトリ／特定フォルダ／特定ファイル」）のファイルが存在するか否かを判断する。本実施形態では、複数のＰＲＮファイルがデモ印刷用に保存されているので、パス名もファイル毎に複数指定されている。もちろん、ＰＲＮファイルが保存されている特定フォルダを指定するパス名のフォルダが存在するか否かを判断する方法を採用し、特定フォルダが存在することをもって特定ファイルが存在するとする判断方法をとってもよい。この場合、特定フォルダ内にＰＲＮファイルが存在するかどうかを別途判断することになる。特定ファイルが存在すればステップＳ１３０に進み、特定ファイルが存在しなければ、当該ルーチンを終了する。
【００６７】
ステップＳ１３０では、表示画面２３ａに特定ファイル選択画面を表示する。この特定ファイル選択画面には、メモリカード２６内にデモ印刷用に保存されている複数のＰＲＮファイルの中から選択スイッチ２４ｆ等を操作して所望の１つを選択することができる。なお、特定ファイル選択画面の初期状態では、先頭のＰＲＮファイルの名称が反転表示された選択状態にあるので、デモ印刷の対象を他のＰＲＮファイルに変更したい場合は、選択スイッチ２４ｆ等を操作して他のＰＲＮファイルの名称が反転表示された状態にする。
【００６８】
次のステップＳ１４０では、印刷実行スイッチ２４ｄが操作されたか否かを判断する。印刷実行スイッチ２４ｄが操作された場合はステップＳ１５０に進み、印刷実行スイッチ２４ｄが操作されなかった場合はステップＳ１６０に進む。
【００６９】
ステップＳ１５０では、特定ファイル選択画面で指定された特定ファイル（ＰＲＮファイル）を読み込んでＰＲＮデータを取得し、取得したＰＲＮデータに基づき印刷処理を行う。この結果、メモリカード２６から読み込んだＰＲＮファイル中にあるＰＲＮデータ中のＥＳＣ／Ｐラスタコマンドをコマンド解析回路４４により解析してラスタデータを生成し、それをヘッド制御回路４７に転送する。ヘッド制御回路４７は、コマンド解析回路４４より順次転送されるラスタデータに基づいて記録ヘッド２１を制御することでインク吐出が行われる。このとき、キャリッジモータ３５及び紙送りモータ３６はＣＰＵ４１によりコマンドに従って駆動制御される。そして、キャリッジ２０の１走査の途中（略定速区域）で記録ヘッド２１によるインク吐出が実行され、これが用紙等の印刷媒体が所定ピッチずつ紙送りされる紙送りと交互に繰り返されることで、用紙等の印刷媒体に印刷が施される。
【００７０】
ステップＳ１６０では、デモ印刷モード終了操作がなされたか否かを判断する。デモ印刷モード終了操作とは、予め決められた特定操作を指し、デモ印刷モード移行条件となる特定操作と同じ操作でもよいし、異なる操作でもよい。この場合、デモ印刷モード中において、印刷実行スイッチ２４ｄと電源スイッチ２４ａと選択スイッチ２４ｆとデモ印刷モード終了操作（特定操作）に使われる少なくとも１つのスイッチしか認識できなくなる。デモ印刷モード終了操作がなされれば、ステップＳ１７０に進み、デモ印刷モード終了操作がなされなければ、ステップＳ１３０に進む。つまり、デモ印刷モード終了操作がなされなければ、ステップＳ１３０に移行して、特定ファイル選択画面を再び表示させる。もちろん、特定ファイル選択画面は表示されたままに保持してもよいが、本実施形態では、デモ印刷処理中は、表示画面２３ａにプリンタ１０の性能を広告するデモ表示を行っているので、印刷が終了すると、デモ表示から特定ファイル選択画面に切り替えることにしている。以下、デモ印刷モード終了操作がなされるまでは、特定ファイル選択画面で別のＰＲＮファイルを選択するなどして繰り返しデモ印刷を行うことができる。
【００７１】
ステップＳ１７０では、通常モードへ復帰する。すなわち、デモ印刷モード終了操作がなされると、デモ印刷モードから通常モードに復帰する。このため、デモ印刷モード終了操作を行うまでは、デモ印刷を行う特定操作をいちいち行わなくても、通常操作と同じ印刷実行スイッチ２４ｄを操作すれば印刷を開始できる。例えば、販売員が最初に特定操作をしてデモ印刷モードに移行させておいて、顧客に印刷開始の操作をしてもらえば、通常操作と同じ操作方法で、ホストコンピュータ５０から印刷するときと同程度の高速な印刷速度でデモ印刷をしてもらうことができる。また、特定操作は販売員が行うので、デモ印刷用の特定操作を顧客に知られることもない。
【００７２】
この第２実施形態によれば、以下の効果を奏する。
（７）特定操作は最初の一回行っておけば、その後は特定操作をいちいち行わなくても通常操作と同じ印刷開始操作方法で、デモ印刷を行うことができる。デモ印刷モードに移行するための特定操作を顧客がする必要はないので、デモ印刷という特殊機能を使う際の特定操作方法を顧客に知られずに済む。デモ印刷モード中も通常モードと同じ操作方法で操作部を操作すればデモ印刷を開始できるので、デモ印刷が第２のデータによる印刷であることが顧客に分かりにくい。
【００７３】
（８）特定ファイル選択画面で複数の中から所望のＰＲＮファイルを選択して、所望の画像をデモ印刷することができる。
（９）デモ印刷モード終了操作がなされれば、通常モードへ復帰する。このため、デモ印刷モード終了操作をするまでは、何度でもデモ印刷を行うことができる。また、通常モードへの復帰操作も販売員だけが行えばよいので、デモ印刷モード終了時の操作方法も顧客に知られにくい。
【００７４】
なお、前記各実施形態に限定されず、以下の態様の変形例を採用してもよい。
（変形例１）前記第１実施形態では、メモリカード２６に１つのＰＲＮファイルを用意して、特定操作が行われた場合にその１つのＰＲＮファイルを読み込んで印刷を行う構成であったが、複数のＰＲＮファイルの中から印刷対象を選択できる構成を採用することもできる。例えば、メモリカード２６に複数のＰＲＮファイルを用意しておき、選択するファイル毎に特定操作を異なるものとし、特定操作の操作内容に応じて複数の中から所定の１つのＰＲＮファイルを選択できるようにする。そして、デモ印刷が終了すると、デモ印刷モードから通常モードに復帰するようにする。この構成によれば、デモ印刷モード終了操作の必要がなく、複数の中から選択した所望のＰＲＮファイルをデモ印刷できる。もちろん、この構成は第２実施形態の変形例として適用することもでき、例えば第２実施形態においてデモ印刷終了操作を判断することなく（ステップＳ１６０の廃止）、所定の印刷を終了すると、デモ印刷モードから通常モードに復帰する構成を採用できる。この場合、特定ファイル表示画面において一度に複数のデータ（ファイル）を選択できるように構成し、その選択された全ての印刷を終了すると自動で通常モードに復帰する方法や、特定ファイル選択画面でデータは１つずつ選択できるが、予め決められた所定数の印刷が終了すると通常モードに復帰する方法を採用できる。さらに、特定操作がなされても、特定ファイル表示画面を表示させることなく（ステップＳ１３０も廃止）、デモ印刷用として認識できるデータ全ての印刷を実行し、その全ての印刷が終了すると、通常モードに復帰する方法も採用できる。
【００７５】
（変形例２）前記実施形態では、特定操作がなされると、認識できるようになる特定ファイルとしてＰＲＮファイルを採用し、デモ印刷における高速印刷を実現したが、特定ファイルはＰＲＮファイルに限定されないし、その目的も高速印刷に限定されない。例えばメモリカードが扱えるデータ形式ではない「ＸＨＴＭＬ」「ｖＣａｒｄ」「ｖＣａｌｅｎｄａｒ」などが、特定操作がなされると認識可能となってデモ印刷できる構成を採用することもできる。この構成によれば、近距離無線通信器（例えばBluetooth（Ｒ）通信器や赤外線通信器）で扱えるデータ形式のデータを、メモリカードから読み込んでデモ印刷することもできる。この構成によれば、近距離無線通信器を実際に装備しなくても、そのデモ印刷を行うことができる。
【００７６】
（変形例３）前記第２実施形態では、デモ印刷モード中は、デモ印刷に使用される一部の操作スイッチと電源スイッチ以外の操作を受け付けない構成としたが、操作スイッチの操作をすべて受け付ける構成としても構わない。この構成によれば、ＰＲＮファイルでデモ印刷をすることができ、しかも展示されたプリンタ１０の操作スイッチを操作して実際の操作機能を確かめることができる。
【００７７】
（変形例４）印刷条件のうち画質条件（例えばガンマ値やインテント）を異ならせたＰＲＮファイルを複数用意しておき、デモ印刷モードにおいて、ユーザが操作パネル上で画質条件を選択すると、その選択された画質条件が設定された対応するＰＲＮファイルが選ばれてデモ印刷が行われる構成を採用することもできる。この構成によれば、画質条件の設定の違いで印刷画質がどのように違うかを比較することができる。例えば自動色補正機能を使った場合と使わなかった場合で、どの程度印刷画質が異なるかを比較するデモ印刷を行うことができる。
【００７８】
（変形例５）上記実施形態では、ＥＳＣ／Ｐラスタコマンドをメモリカードに特定ファイルとして保存する態様としたが、これを、コマンド変換前のラスタデータを保存する態様としてもよい。
【００７９】
（変形例６）前記各実施形態では、特定データ形式のデータを認識可能となる特定操作（所定操作方法による操作）の使用目的を、販売員によるデモ印刷とする例で説明したが、その使用目的はデモ印刷に限定されない。例えば、所定操作方法で操作しない限り、特定データ形式のデータが認識されずデータの内容を見ることができない（非表示かつ印刷不可能である）ことを利用して、特定操作を知る者が、特定操作を知らない者に対して、外部記憶媒体に特定データ形式で記憶されたデータの内容を秘匿する目的でプリンタを使用してもよい。
【００８０】
（変形例７）前記実施形態では、インクジェット式の印刷装置に適用したが、インクジェット式以外の印刷方式（例えばレーザー方式、ドットインパクト方式）を採用する印刷装置に適用することもできる。また、印刷機能以外のその他の機能を有する印刷装置に適用することもできる。例えば印刷機能の他にスキャナ機能およびコピー機能を有する複合機に適用することもできる。また、プロジェクションテレビなどのテレビにおいて、テレビ画像をキャプチャして印刷する機能のために設けられたプリンタに適用することもできる。
【００８１】
以下、前記実施形態および各変形例から把握される技術的思想を記載する。
（１）請求項１乃至８のいずれか一項に記載の印刷装置において、印刷装置本体にメモリカードリーダを備え、前記外部記憶媒体は前記メモリカードリーダに接続可能なメモリカードであることを特徴とする。これによれば、印刷装置本体に設けられたメモリカードリーダにメモリカードを接続し、操作部を所定操作方法で操作すれば、デモ印刷が可能となる。
【００８２】
（２）請求項１乃至８のいずれか一項に記載の印刷装置において、前記印刷処理手段は、ホスト装置から受信した印刷データを印刷処理可能な印刷処理部と、外部記憶媒体から読み込んだ画像データを印刷データに変換する画像処理部とを有することを特徴とする。これによれば、ホスト装置から印刷データを受信した場合、印刷データを印刷処理部で印刷処理することで印刷が行われ、外部記憶媒体から読み込んだ画像データを印刷処理するときは、画像データがまず画像処理部で印刷データに変換され、その変換された印刷データを印刷処理部が印刷処理することで印刷が行われる。所定操作方法で操作部が操作されて外部記憶媒体から第２のデータとして印刷データ（ＰＲＮデータ）が読み込まれれば、画像処理部による画像処理が不要なので、ホスト装置から印刷データを受信したときと同程度の印刷速度でデモ印刷を行うことができる。
【図面の簡単な説明】
【００８３】
【図１】第１実施形態におけるプリンタの斜視図。
【図２】メモリカードのディレクトリ構造を示す模式図。
【図３】プリンタの電気的構成を示すブロック図。
【図４】デモ印刷処理ルーチンのフローチャート。
【図５】第２実施形態におけるデモ印刷処理ルーチンのフローチャート。
【符号の説明】
【００８４】
１０…印刷装置としてのプリンタ、１１…本体、１２…コントロールパネル、１４…タイミングベルト、１５…液体噴射手段（液体噴射ヘッド）としての印刷ヘッド、１７…用紙、２０…キャリッジ、２１…記録ヘッド、２３…表示手段としてのＬＣＤ、２４…操作部、２４ａ…操作部を構成する電源スイッチ、２４ｂ…操作部を構成するメンテナンススイッチ、２４ｃ…操作部を構成するロール紙スイッチ、２４ｄ…操作部を構成する印刷実行スイッチ、２４ｅ…操作部を構成する中止スイッチ、２４ｆ…操作部を構成する選択スイッチ、２４ｇ…操作部を構成する決定スイッチ、２６…外部記憶媒体としてのメモリカード、３４…読込手段を構成するメモリカードリーダ、４１…読込手段を構成するＣＰＵ、４３…読込手段を構成するカードＩ／Ｆ、４４…印刷手段を構成するコマンド解析回路、４５…印刷手段を構成する画像処理回路、４７…ヘッド制御回路、６１…特定フォルダ、６２…特定ファイル（ＰＲＮファイル）。
【図１】
2007175937.tif 000003
【図２】
2007175937.tif 000004
【図３】
2007175937.tif 000005
【図４】
2007175937.tif 000006
【図５】
2007175937.tif 000007